(57)【要約】【課題】カップホルダ本体に対する底部保持部材の組付作業の容易化などを図り得るようにする。【解決手段】アウタケース３とカップホルダ部４との間の出入用ガイド機構部３１が、アウタケース３の両内側面から突設されたガイド用凸条部３２と、カップホルダ本体１４の両側面に形成されたガイド用凹溝部３３とを備え、連動機構３０が、カップホルダ本体１４の側面に形成された円弧状の貫通孔３５と、底部保持部材１５の側面から突設されたガイド軸３６と、ガイド用凸条部３２の手前側端部に形成されて、円弧状の貫通孔３５から突出されたガイド軸３６の先端部を案内してガイド用凸条部３２の下縁部側へと回り込ませるガイド面３７とを備えるようにしている。【選択図】図３
2008094330.tif 000002
【特許請求の範囲】
【請求項１】
アウタケースと、該アウタケースに対して引出収納自在に取付けられたカップホルダ部とを備え、
該カップホルダ部が、飲料容器を上方から挿入可能な飲料容器挿入用開口部を有するカップホルダ本体と、該カップホルダ本体の下方に配設されて飲料容器挿入用開口部に挿入された飲料容器の底部を保持可能な底部保持部材とを備えると共に、
該底部保持部材が、カップホルダ本体に対し、軸支部を介して上下傾動自在に軸支されることにより、カップホルダ本体の下面側に格納される格納位置と、カップホルダ本体から下方へ突出して飲料容器の底部を保持可能な底部保持位置との間を往復移動自在に取付けられ、
更に、カップホルダ部の引出収納動作に連動させて、底部保持部材を上下傾動可能な連動機構を備えたカップホルダ装置において、
前記アウタケースとカップホルダ部との間に、カップホルダ部の引出収納動作を案内可能な出入用ガイド機構部を備え、
該出入用ガイド機構部が、前記アウタケースの両内側面から突設されて、カップホルダ本体の引出収納方向へ延びるガイド用凸条部と、カップホルダ本体の両側面に形成されて、前記ガイド用凸条部が摺動自在に嵌合されるガイド用凹溝部とを備え、
前記連動機構が、カップホルダ本体の側面に形成されて、前記ガイド用凹溝部の位置から下方へ向け、前記軸支部を中心とする円弧状に延びる貫通孔と、底部保持部材の側面から突設されて、前記円弧状の貫通孔に沿い移動可能なガイド軸と、前記ガイド用凸条部の手前側端部に形成されて、前記円弧状の貫通孔から突出された前記ガイド軸の先端部を案内してガイド用凸条部の下縁部側へと回り込ませるガイド面とを備えたことを特徴とするカップホルダ装置。
【請求項２】
前記連動機構が、カップホルダ本体と、底部保持部材と、アウタケースとの間の一側面部分に対してのみ設けられたことを特徴とする請求項１記載のカップホルダ装置。
【発明の詳細な説明】
【技術分野】
【０００１】
この発明は、カップホルダ装置に関するものである。
【背景技術】
【０００２】
自動車などの車両には、通常、車室内にカップホルダ装置が設けられている。このようなカップホルダ装置のなかには、引出式のものが存在している。
【０００３】
このような引出式のカップホルダ装置は、アウタケースと、このアウタケース対して引出収納自在に取付けられたカップホルダ部とを備えている。
【０００４】
このカップホルダ部は、飲料容器を上方から挿入可能な飲料容器挿入用開口部を有するカップホルダ本体と、このカップホルダ本体の下方に配設されて飲料容器挿入用開口部に挿入された飲料容器の底部を保持可能な底部保持部材とを備えている。
【０００５】
そして、底部保持部材は、カップホルダ本体に対し、軸支部を介して上下傾動自在に軸支されることにより、カップホルダ本体の下面側に格納される格納位置と、カップホルダ本体から下方へ突出して飲料容器の底部を保持可能な底部保持位置との間を往復移動自在に取付けられている。
【０００６】
上記引出式のカップホルダ装置では、アウタケースに対してカップホルダ部を引出すと、底部保持部材が自重で軸支部を中心に下方へ傾動されることにより、底部保持部材はカップホルダ本体に対して下方へ突出した底部保持位置となる。
【０００７】
反対に、アウタケースに対してカップホルダ部を収納する際には、底部保持部材を軸支部を中心に格納位置まで上方へ傾動して、カップホルダ本体の下面側に格納させるようにする。これにより、カップホルダ本体と底部保持部材とをアウタケース内へ収納させることが可能となる。
【０００８】
このような引出式のカップホルダ装置では、アウタケースに対してカップホルダ部を収納する際に、底部保持部材がアウタケースの下縁部や意匠面を構成するフィニッシャー部材などの内装パネル部材に当って傷を付けるおそれがある。
【０００９】
そこで、カップホルダ部の引出収納動作に連動させて、底部保持部材を上下傾動可能な連動機構を備えたものが開発されている（例えば、特許文献１参照）。
【００１０】
この連動機構は、カップホルダ本体の両側面に形成されて、軸支部を中心とする円弧状の貫通孔と、底部保持部材の両側面から突設されて、円弧状の貫通孔に沿い移動可能なガイド軸と、アウタケースの両内側面に凹設形成されて、円弧状の貫通孔から突出されたガイド軸の先端部を案内する倣い溝とを備えている。この倣い溝は、奥側に格納位置保持用溝部を有し、手前側に底部保持位置保持用溝部を有すると共に、手前側の近傍に部分的に大きく湾曲する移行用溝部を有している。
【特許文献１】特開２００３−２６０９７０
【発明の開示】
【発明が解決しようとする課題】
【００１１】
しかしながら、上記特許文献１に記載されたカップホルダ装置では、アウタケースの両内側面に対し、底部保持部材を連動させるための倣い溝を凹設形成して、これにガイド軸の先端部を案内させるようにしているが、この倣い溝は、形状が複雑であるため、設計・調整や成形に手間がかかると共に、貫通孔に対してガイド軸を倣い溝の深さ分だけ大きく突出させなければならないため、カップホルダ本体に対する底部保持部材の組付作業を困難にする要因となっていた。特に、倣い溝とガイド軸とを両側面部分に設けたことが、組付作業をより一層困難なものとしていた。
【００１２】
更に、倣い溝は、形状が複雑であるため、アウタケースに対するカップホルダ部の引出収納動作を案内する出入用ガイド部としては使用することができなかった。
【００１３】
また、カップホルダ本体や、底部保持部材や、アウタケースの両側面に対して連動機構を設けるようにしていたので、貫通孔やガイド軸が両側から目視されるおそれがあり、見栄上も不利であった。
【課題を解決するための手段】
【００１４】
上記課題を解決するために、請求項１に記載された発明では、アウタケースと、該アウタケースに対して引出収納自在に取付けられたカップホルダ部とを備え、該カップホルダ部が、飲料容器を上方から挿入可能な飲料容器挿入用開口部を有するカップホルダ本体と、該カップホルダ本体の下方に配設されて飲料容器挿入用開口部に挿入された飲料容器の底部を保持可能な底部保持部材とを備えると共に、該底部保持部材が、カップホルダ本体に対し、軸支部を介して上下傾動自在に軸支されることにより、カップホルダ本体の下面側に格納される格納位置と、カップホルダ本体から下方へ突出して飲料容器の底部を保持可能な底部保持位置との間を往復移動自在に取付けられ、更に、カップホルダ部の引出収納動作に連動させて、底部保持部材を上下傾動可能な連動機構を備えたカップホルダ装置において、前記アウタケースとカップホルダ部との間に、カップホルダ部の引出収納動作を案内可能な出入用ガイド機構部を備え、該出入用ガイド機構部が、前記アウタケースの両内側面から突設されて、カップホルダ本体の引出収納方向へ延びるガイド用凸条部と、カップホルダ本体の両側面に形成されて、前記ガイド用凸条部が摺動自在に嵌合されるガイド用凹溝部とを備え、前記連動機構が、カップホルダ本体の側面に形成されて、前記ガイド用凹溝部の位置から下方へ向け、前記軸支部を中心とする円弧状に延びる貫通孔と、底部保持部材の側面から突設されて、前記円弧状の貫通孔に沿い移動可能なガイド軸と、前記ガイド用凸条部の手前側端部に形成されて、前記円弧状の貫通孔から突出された前記ガイド軸の先端部を案内してガイド用凸条部の下縁部側へと回り込ませるガイド面とを備えたことを特徴としている。
【００１５】
請求項２に記載された発明では、前記連動機構が、カップホルダ本体と、底部保持部材と、アウタケースとの間の一側面部分に対してのみ設けられたことを特徴としている。
【発明の効果】
【００１６】
請求項１の発明によれば、アウタケースとカップホルダ部との間に、カップホルダ部の引出収納動作を案内可能な出入用ガイド機構部を備え、該出入用ガイド機構部が、前記アウタケースの両内側面から突設されて、カップホルダ本体の引出収納方向へ延びるガイド用凸条部と、カップホルダ本体の両側面に形成されて、前記ガイド用凸条部が摺動自在に嵌合されるガイド用凹溝部とを備え、前記連動機構が、カップホルダ本体の側面に形成されて、前記ガイド用凹溝部の位置から下方へ向け、前記軸支部を中心とする円弧状に延びる貫通孔と、底部保持部材の側面から突設されて、前記円弧状の貫通孔に沿い移動可能なガイド軸と、前記ガイド用凸条部の手前側端部に形成されて、前記円弧状の貫通孔から突出された前記ガイド軸の先端部を案内してガイド用凸条部の下縁部側へと回り込ませるガイド面とを備えたことにより、以下のような作用・効果を得ることができる。
【００１７】
即ち、出入用ガイド機構部としてアウタケースの内側面から突設させたガイド用凸条部の手前側端部をガイド面として利用し、底部保持部材の側面から突設したガイド軸をガイド用凸条部の下縁部側へと回り込ませるようにしたことにより、形状の複雑な倣い溝を特別に設ける必要を無くすことができるので、倣い溝の設計・調整や成形の手間を低減することができる。また、ガイド用凸条部の先端部を倣いの相手側とすることにより、貫通孔に対するガイド軸の突出量を減少させることができるため、カップホルダ本体に対する底部保持部材の組付作業を容易化することができる。
【００１８】
請求項２の発明によれば、前記連動機構が、カップホルダ本体と、底部保持部材と、アウタケースとの間の一側面部分（片側）に対してのみ設けられたことにより、貫通孔やガイド軸が両側から目視されることがなくなり、見栄上有利となる。また、連動機構を片側とすることにより、カップホルダ本体に対する底部保持部材の組付作業を更に容易化することができる。
【発明を実施するための最良の形態】
【００１９】
以下、本発明を具体化した実施例について、図示例と共に説明する。
【実施例】
【００２０】
図１〜図１１は、この発明の実施例を示すものである。
【００２１】
まず、構成について説明する。自動車などの車両の車室内に、図１〜図３に示すような、引出式のカップホルダ装置１を設ける。このカップホルダ装置１は、例えば、インストルメントパネルやフィニッシャー部材などのような、意匠面を構成する内装パネル部材２などに対して取付けられる。
【００２２】
この引出式のカップホルダ装置１は、主に図３に示すように、アウタケース３と、このアウタケース３に対して引出収納自在に取付けられたカップホルダ部４とを備えている。
【００２３】
アウタケース３は、少なくとも、手前側の面に、カップホルダ部４を収容可能なカップホルダ部用開口部５を有すると共に、カップホルダ部４を所要の間隙を有して包囲可能な上下左右の面部（上壁部６、下壁部７、側壁部８）を有する枠状を呈している。このアウタケース３は、上記内装パネル部材２に形成された取付用開口部９の裏面側に、カップホルダ部用開口部５の周囲に形成された取付用フランジ部１０を位置合せした状態で取付けられる。また、アウタケース３には、内装パネル部材２の裏面側に取付けるための取付用ブラケット部１１などが適宜形成されている。
【００２４】
カップホルダ部４は、飲料容器１２を上方から挿入可能な飲料容器挿入用開口部１３を有するカップホルダ本体１４と、このカップホルダ本体１４の下方に配設されて飲料容器挿入用開口部１３に挿入された飲料容器１２の底部を保持可能な底部保持部材１５とを備えている。
【００２５】
ここで、カップホルダ本体１４は、飲料容器挿入用開口部１３を形成できるようにするために、飲料容器１２の径寸法よりも所要量だけ大きな幅寸法と、引出状態の時の支持代を確保するために、飲料容器１２の径寸法のほぼ２倍程度の奥行寸法とを有する、平面視ほぼ矩形板状のホルダ平面部１６を呈している。このホルダ平面部１６に対し、飲料容器挿入用開口部１３は、手前側のほぼ幅中央部分に形成される。このホルダ平面部１６の奥側部分には、最大引出位置を規制するストッパ１７が突設されている。このストッパ１７は、アウタケース３の上壁部６などに形成された図示しない受け部などに係止され得るようになっている。
【００２６】
このカップホルダ本体１４は、ホルダ平面部１６の両側縁部に、ほぼ全域に亘ってほぼ均一の幅で連続的にほぼ垂直下方へ延びる、ほぼ帯状をしたホルダ側面部１８を有している。このホルダ側面部１８により、カップホルダ本体１４は、ほぼ下向きコ字状の横断面形状となり、このほぼ下向きコ字状の内部空間が、底部保持部材１５を格納可能な底部保持部材格納空間となる。なお、このホルダ側面部１８の幅寸法（カップホルダ本体１４全体としての見掛上の厚み）は、ほぼ１ｃｍから数ｃｍ程度のものである。
【００２７】
また、カップホルダ本体１４は、手前側の端部に、内装パネル部材２の取付用開口部９とほぼ対応して、収納状態で内装パネル部材２とほぼ面一に連なる、フランジ状の意匠面部１９を有している。
【００２８】
このようなカップホルダ本体１４には、直線タイプのものも存在するが、この場合には、側面視で若干上に凸状に湾曲された曲線タイプのものとされている。このカップホルダ本体１４は、手前側が高く、奥側が低くなるような、前下がりの傾斜状態で配置されている。
【００２９】
一方、底部保持部材１５は、平面視ほぼ奥向きコ字形状の本体部２０を有している。この本体部２０は、カップホルダ本体１４の両ホルダ側面部１８の内面に沿って延びる両側腕部２１と、この両側腕部２１の手前側の端部間を連結すると共に飲料容器１２の底部を直接保持する底部保持部２２とを有している。この本体部２０は、カップホルダ本体１４下面側の底部保持部材格納空間に対して格納可能な厚さに構成される。更に、必要に応じ、両側腕部２１の奥側の部分の下縁部間に対し、両者間を所要の幅で連結して補強可能な連結補強部２３を設けても良い。
【００３０】
そして、底部保持部材１５は、カップホルダ本体１４に対し、軸支部２５を介して上下傾動自在に軸支されることにより、カップホルダ本体１４の下面側に格納される格納位置と、カップホルダ本体１４から下方へ突出して飲料容器１２の底部を保持可能な底部保持位置との間を往復移動自在に取付けられている。
【００３１】
この軸支部２５は、底部保持部材１５の両側腕部２１の奥側端部近傍からカップホルダ本体１４の幅方向へ向けて突設された軸部２６と、カップホルダ本体１４の両ホルダ側面部１８の対応する位置に形成されて、軸部２６を軸支可能な軸孔２７とを備えている。この軸部２６は、カップホルダ本体１４の両ホルダ側面部１８に対し、先端がほとんど突出されない程度の長さに形成される。また、軸孔２７は、後述するガイド用凹溝部３３の下側の位置に形成される。
【００３２】
更に、カップホルダ部４の引出収納動作に連動させて、底部保持部材１５を上下傾動可能な連動機構３０を備えるようにする。
【００３３】
そのために、この実施例のものでは、先ず、アウタケース３とカップホルダ部４との間に、カップホルダ部４の引出収納動作を案内可能な出入用ガイド機構部３１を備えるようにする。
【００３４】
そして、この出入用ガイド機構部３１を、アウタケース３の両内側面（側壁部８の内面）から突設されて、カップホルダ本体１４の引出収納方向へ連続的に延びるガイド用凸条部３２と、カップホルダ本体１４の両側面（ホルダ側面部１８）に形成されて、ガイド用凸条部３２が摺動自在に嵌合されるガイド用凹溝部３３とを備えたものとする。ガイド用凹溝部３３は、カップホルダ本体１４の両ホルダ側面部１８に凹設形成しても良いが、ホルダ側面部１８の肉厚が不作して凹設形成できない場合には、ガイド用凸条部３２の上下部に沿って一対の突条を設けて、その間の部分をガイド用凹溝部３３としても良い。このガイド用凹溝部３３も、ガイド用凸条部３２と同様に、カップホルダ本体１４の引出収納方向へほぼ連続的に延びるものとする。この場合、カップホルダ本体１４が曲線タイプとされているので、引出収納方向もこれに合わせて曲線的なものとなる。
【００３５】
そして、連動機構３０が、カップホルダ本体１４の側面（ホルダ側面部１８）に形成されて、ガイド用凹溝部３３の位置（ガイド用凸条部３２と対応する位置）から下方へ向け、軸支部２５を中心とする円弧状に延びる貫通孔３５と、底部保持部材１５の側面（側腕部２１）から突設されて、円弧状の貫通孔３５に沿い移動可能なガイド軸３６と、ガイド用凸条部３２の手前側端部に形成されて、円弧状の貫通孔３５から突出されたガイド軸３６の先端部を案内してガイド用凸条部３２の下縁部側へと回り込ませるガイド面３７とを備えるように構成する。
【００３６】
ここで、円弧状の貫通孔３５とガイド軸３６とは、軸支部２５よりも奥側の位置に形成されている。円弧状の貫通孔３５は、少なくともガイド軸３６の直径とガイド用凸条部３２の上下方向の寸法とを加えた長さ以上の長さを有している。ガイド用凹溝部３３は、円弧状の貫通孔３５によって部分的に分断される。ガイド用凸条部３２の長さは、アウタケース３に対してカップホルダ部４を最大限に引出した時に、手前側端部からガイド軸３６から外れる長さで、且つ、底部保持部材１５がアウタケース３の下縁部や意匠面を構成するフィニッシャー部材などの内装パネル部材２に当たる直前にガイド軸３６が手前側端部に当るような長さとする。そして、このガイド用凸条部３２の手前側端部に形成されるガイド面３７は、奥下がりの傾斜面とされる。
【００３７】
この際、特に、連動機構３０は、カップホルダ本体１４と、底部保持部材１５と、アウタケース３との間の一側面部分に対してのみ設けられるようにする。
【００３８】
次に、この実施例の作用について説明する。
【００３９】
上記引出式のカップホルダ装置１は、図１の収納された状態から、アウタケース３に対してカップホルダ部４を引出すと、図２に示すように、底部保持部材１５が自重で軸支部２５を中心に下方へ傾動されるので、底部保持部材１５はカップホルダ本体１４に対して下方へ突出した底部保持位置となる。
【００４０】
この状態で、カップホルダ本体１４の飲料容器挿入用開口部１３へ上方から飲料容器１２を挿入すると、底部保持部材１５が飲料容器１２の底部を保持することにより、飲料容器１２を置くことが可能となる。
【００４１】
反対に、飲料容器１２を置かない場合には、図２の引出された状態から、アウタケース３に対してカップホルダ部４を押込むことにより、図１に示すように、カップホルダ装置１が、意匠面を構成する内装パネル部材２の内側に収納された状態となる。
【００４２】
この収納の際には、底部保持部材１５を、軸支部２５を中心に格納位置まで上方へ傾動して、カップホルダ本体１４の下面側に格納させるようにする。これにより、カップホルダ本体１４と底部保持部材１５とをアウタケース３内へ支障なく格納させることが可能となる。
【００４３】
このような引出式のカップホルダ装置１では、アウタケース３に対してカップホルダ部４を収納する際に、底部保持部材１５がアウタケース３の下縁部や意匠面を構成するフィニッシャー部材のなどの内装パネル部材２に当って傷を付けるおそれがあるので、この実施例のカップホルダ装置１では、カップホルダ部４の引出収納動作に連動させて、底部保持部材１５を上下傾動させ連動機構３０を備えることにより、傷付きを防止することができるようにしている。この連動機構３０による連動は、カップホルダ部４の引出時に底部保持部材１５を下方へ傾動させ、収納時に底部保持部材１５を上方へ傾動させるものである。
【００４４】
即ち、先ず、カップホルダ部４は、アウタケース３とカップホルダ部４との間に設けられた出入用ガイド機構部３１によって、引出収納動作が案内されることになる。
【００４５】
より具体的には、出入用ガイド機構部３１は、アウタケース３の両内側面から突設されたガイド用凸条部３２と、カップホルダ本体１４の両側面に形成されたガイド用凹溝部３３との摺動によって、カップホルダ部４の引出収納動作を案内する。このガイド用凸条部３２とガイド用凹溝部３３とは、共に、カップホルダ本体１４の引出収納方向へ向けて延設されているのみなので、形状が単純であり、設計や成形などが容易である。
【００４６】
そして、アウタケース３に対してカップホルダ部４が収納されている状態では、ガイド軸３６は、ガイド用凸条部３２の下縁部側へ位置すると共に、円弧状の貫通孔３５の下端部側に位置している。この時、底部保持部材１５は、上方へ傾動した格納位置となっている。
【００４７】
アウタケース３に対してカップホルダ部４を最大限に引出すと、図４に示すように、ガイド軸３６は、ガイド用凸条部３２の手前側端部から外れるため、自重によって円弧状の貫通孔３５の上端部側へと移動する。これにより、底部保持部材１５は、軸部２６を中心に下方へ傾動して底部保持位置となる。
【００４８】
この引出状態から、アウタケース３に対してカップホルダ部４を押込むと、図５〜図８に順に示すように、底部保持部材１５がアウタケース３の下縁部や意匠面を構成するフィニッシャー部材などの内装パネル部材２に当たる直前にガイド軸３６が手前側端部に当り（図５）、その後、ガイド軸３６は、ガイド用凸条部３２の手前側端部のガイド面３７に倣って円弧状の貫通孔３５の下端部側へと移動する（図６）。これにより、底部保持部材１５は、軸部２６を中心に上傾動する。なお、連動機構３０は、底部保持部材１５を完全に格納位置へ移動させるものとしても良いが、この場合には、底部保持部材１５を格納位置の直前まで移動させる程度としている。そこで、更にアウタケース３に対してカップホルダ部４を押込むことにより、図７〜図８および図９〜図１１に示すように、底部保持部材１５は徐々に格納位置とされる。この際、底部保持部材１５は、アウタケース３の下縁部や意匠面を構成するフィニッシャー部材などの内装パネル部材２によって、格納位置へと導かれるが、当りが緩くなる位置まで既に移動しているので、特に傷付けたりすることもない。
【００４９】
このように、この実施例によれば、アウタケース３とカップホルダ部４との間に、カップホルダ部４の引出収納動作を案内可能な出入用ガイド機構部３１を備え、出入用ガイド機構部３１が、アウタケース３の両内側面から突設されて、カップホルダ本体１４の引出収納方向へ延びるガイド用凸条部３２と、カップホルダ本体１４の両側面に形成されて、ガイド用凸条部３２が摺動自在に嵌合されるガイド用凹溝部３３とを備え、連動機構３０が、カップホルダ本体１４の側面に形成されて、ガイド用凹溝部３３の位置（ガイド用凸条部３２と対応する位置）から下方へ向け、軸支部２５を中心とする円弧状に延びる貫通孔３５と、底部保持部材１５の側面から突設されて、円弧状の貫通孔３５に沿い移動可能なガイド軸３６と、ガイド用凸条部３２の手前側端部に形成されて、円弧状の貫通孔３５から突出されたガイド軸３６の先端部を案内してガイド用凸条部３２の下縁部側へと回り込ませるガイド面３７とを備えたことにより、以下のような作用・効果を得ることができる。
【００５０】
即ち、出入用ガイド機構部３１としてアウタケース３の内側面から突設させたガイド用凸条部３２の手前側端部をガイド面３７として利用し、底部保持部材１５の側面から突設したガイド軸３６をガイド用凸条部３２の下縁部側へと回り込ませるようにしたことにより、形状の複雑な倣い溝を特別に設ける必要を無くすことができるので、倣い溝の設計・調整や成形の手間を低減することができる。また、ガイド用凸条部３２の先端部を倣いの相手側とすることにより、貫通孔３５に対するガイド軸３６の突出量を減少させることができるため、カップホルダ本体１４に対する底部保持部材１５の組付作業を容易化することができる。
【００５１】
また、連動機構３０が、カップホルダ本体１４と、底部保持部材１５と、アウタケース３との間の一側面部分（片側）に対してのみ設けられたことにより、貫通孔３５やガイド軸３６が両側から目視されることがなくなり、見栄上有利となる。また、連動機構３０を片側とすることにより、カップホルダ本体１４に対する底部保持部材１５の組付作業を更に容易化することができる。
【００５２】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。例えば、各実施例に複数の構成が含まれている場合には、これらの構成の可能な組合せが含まれることは勿論である。また、複数の実施例や変形例が示されている場合には、これらに跨がった構成の組合せのうちの可能なものが含まれることは勿論である。
【図面の簡単な説明】
【００５３】
【図１】本発明の実施例にかかるカップホルダ装置の内装パネル部材に対する凸状態を示す斜視図である。
【図２】図１の引出状態を示す図である。
【図３】図１のカップホルダ装置の分解斜視図である。
【図４】図３のカップホルダ装置の引出状態の側面図である。
【図５】図４に続く作動図である。
【図６】図５に続く作動図である。
【図７】図６に続く作動図である。
【図８】図７に続く作動図である。
【図９】（ａ）は、図６と同じ状態の側面図、（ｂ）は（ａ）のＡ−Ａ断面図、（ｃ）は（ａ）のａ−ａ断面図である。
【図１０】（ａ）は、図７と図８との中間状態の側面図、（ｂ）は（ａ）のＢ−Ｂ断面図、（ｃ）は（ａ）のｂ−ｂ断面図である。
【図１１】（ａ）は、図９と図８との中間状態の側面図、（ｂ）は（ａ）のＣ−Ｃ断面図、（ｃ）は（ａ）のｃ−ｃ断面図である。
【符号の説明】
【００５４】
３    アウタケース
４    カップホルダ部
１２  飲料容器
１３  飲料容器挿入用開口部
１４  カップホルダ本体
１５  底部保持部材
２５  軸支部
３０  連動機構
３１  出入用ガイド機構部
３２  ガイド用凸条部
３３  ガイド用凹溝部
３５  貫通孔
３６  ガイド軸
３７  ガイド面
【図１】
2008094330.tif 000003
【図２】
2008094330.tif 000004
【図３】
2008094330.tif 000005
【図４】
2008094330.tif 000006
【図５】
2008094330.tif 000007
【図６】
2008094330.tif 000008
【図７】
2008094330.tif 000009
【図８】
2008094330.tif 000010
【図９】
2008094330.tif 000011
【図１０】
2008094330.tif 000012
【図１１】
2008094330.tif 000013